(57)【特許請求の範囲】
【請求項１】
下記（Ａ）、（Ｂ）及び（Ｃ）
（Ａ）アダプター本体
（Ｂ）薬剤収納容器
（Ｃ）接続部
を有するヌメリ取り用アダプターであって、
前記ヌメリ取り用アダプターは、洗濯機又は洗面台に接続された排水管の途中に、排水の一部が迂回して流れるように接続して設置され、
前記アダプター本体と前記排水管は前記接続部で接続されていて、
前記アダプター本体は、内部に着脱自在に設置された前記薬剤収納容器を有し、
前記薬剤収納容器は、排水流入口及び薬剤溶解液流出口が設けられ、
前記薬剤溶解液流出口は薬剤溶解液を溶出させるための手段が設けられていることを特徴とするヌメリ取り用アダプター。
【請求項２】
前記接続部は、下記の（Ｄ）及び（Ｅ）
（Ｄ）接続管
（Ｅ）排水管取り付け部
を有することを特徴とする請求項１に記載のヌメリ取り用アダプター。
【請求項３】
前記アダプター本体及び前記薬剤収納容器に１個以上の空気穴が設けられていることを特徴とする請求項１に記載のヌメリ取り用アダプター。
【請求項４】
前記アダプター本体は、下記（Ｆ）及び（Ｇ）
（Ｆ）蓋部
（Ｇ）薬剤収納容器保持部
を有し、
前記蓋部又は前記薬剤収納容器保持部が前記接続部と接続されていることを特徴とする請求項１に記載のヌメリ取り用アダプター。                                  
【請求項５】
前記接続部と前記薬剤収納容器保持部との間及び／又は前記接続部と前記蓋部との間に、下記の（Ｈ）又は（Ｉ）
（Ｈ）小孔を有する隔壁
（Ｉ）フィルター
を有することを特徴とする請求項４に記載のヌメリ取り用アダプター。
【請求項６】
前記薬剤収納容器の薬剤溶解液流出口に設けられた薬剤溶解液を溶出させるための手段が、樹脂製多孔質体を用いることであることを特徴とする請求項１に記載のヌメリ取り用アダプター。
【発明の詳細な説明】
【技術分野】
【０００１】
本発明は、洗濯機又は洗面台の排水管に設けるヌメリ取り用アダプターに関し、詳しくは、排水管の途中に排水の一部が迂回して流れるようにして接続された、ヌメリ取り用アダプターに関する。
本願は、２０１１年７月８日に出願された日本国特許出願第２０１１−１５１６０８号に対し優先権を主張し、その内容をここに援用する。
【背景技術】
【０００２】
一般に、流し場などの汚水その他の水を扱う場所には、排水ホースから流出する廃水（汚水）を床下に配設した排水管に案内し、かつ臭気を防止するために床面下に排水トラップが設けられ、この排水トラップには排水ホースを接続するためのホースジョイントが床面上に延出した状態で取り付けられている。
例えば、洗濯機の排水の場合、排水ホースを排水トラップのホースジョイントに接続し、排水ホースから流出する排水はホースジョイントから排水トラップ内に流れ込んで、排水管側へ送られる構造となっている。【０００３】
このような排水トラップ部が設けられている場合において、洗濯機の使用頻度が高い場合は、排水トラップ部の水は排水によって交換されるため腐敗することは少ないが、使用頻度が少ない場合や周囲温度が高い状況下では、この排水トラップ部の水が汚染、腐敗して悪臭を発する場合がある。この悪臭が発生した場合、この悪臭が洗濯水槽内へ逆流し、次回に洗濯・乾燥を行う際に、この悪臭が衣類に付着したり、あるいは洗濯機のドアや蓋を開けたとき、その悪臭が周囲へ流出して、不快感を味わうこととなる。【０００４】
また、洗濯機を長期間に渡って使用していると、排水トラップ内は水あか、塵、細菌の塊等によってぬめりがひどくなり、排水の流れが悪くなるとともに、排水トラップそのもの自体から臭気が発生することもある。このため、定期的に排水トラップの内部を清掃することが望まれるが、分解清掃作業が煩雑であるという問題がある。【０００５】
例えば特許文献１には、排水トラップのホースジョイントと洗濯機の排水ホースとの間に介在させるアダプターであって、前記ホースジョイントに嵌合するプラスチック材からなる小円筒部と、円筒状であって一端が開放され他端はその中心から偏心した位置に前記小円筒部が接続する開口部を有し他の部分は封止され、かつ円筒状表面に螺旋状のネジ山が形成されたプラスチック材からなる大円筒部とを備えたアダプター部Ａと、前記洗濯機の排水ホースと嵌合するプラスチック材からなる小円筒部と、円筒状であって一端が開放され他端はその中心から偏心した位置に前記小円筒部が接続する開口部を有し他の部分は封止され、かつ円筒状内面には前記アダプター部Ａの円筒状表面に形成された螺旋状のネジ山と螺合する螺旋状のネジ溝が形成されたプラスチック材からなる大円筒部とを備えたアダプター部Ｂと、前記アダプター部Ａの大円筒部の前記開口部に嵌合する網かご状の金属製ネットと、前記アダプター部Ｂの大円筒部の内部奥に配置されるドーナツ状のパッキンと、を備えたことを特徴としているアダプターが記載されている。【０００６】
特許文献１に記載のアダプターは、その内部に薬剤の入った袋を収納することが記載され、ヌメリ除去に関して一定の効果を奏するものであるが、特に洗濯機のように大量の排水が流れる排水管においては、当該アダプター内に設置された薬剤の溶出が速く、また、大量の排水によって薬剤の溶解液が希釈されてしまい、さらにアダプター内の薬剤が排水の流れを阻害するという種々の問題があった。
【先行技術文献】
【特許文献】
【０００７】
【特許文献１】特開２００９−６８１９２
【発明の概要】
【発明が解決しようとする課題】
【０００８】
本発明は、かかる事情に鑑みてなされたものであり、洗濯機または洗面台の排水トラップに生じるヌメリを除去または予防する手段であって、薬剤の交換頻度が少なく、且つ排水の流れを阻害しないヌメリ取りアダプターを提供することを課題とする。
【課題を解決するための手段】
【０００９】
本発明者らは、上記課題を解決すべく鋭意検討した結果、薬剤を収納した薬剤収納容器を設置したアダプターを、排水管の途中に、排水の一部が迂回して流れるように接続し、かつ、アダプターからの薬剤溶解液の流出を、徐々に流出させるようにすることにより、上記課題を解決できることを見出し、本発明を完成するに至った。【００１０】
すなわち、本発明は、
（１）下記（Ａ）、（Ｂ）及び（Ｃ）
（Ａ）アダプター本体
（Ｂ）薬剤収納容器
（Ｃ）接続部
を有するヌメリ取り用アダプターであって、
前記ヌメリ取り用アダプターは、洗濯機又は洗面台に接続された排水管の途中に、排水の一部が迂回して流れるように接続して設置され、
前記アダプター本体と前記排水管は前記接続部で接続されていて、
前記アダプター本体は、内部に着脱自在に設置された前記薬剤収納容器を有し、
前記薬剤収納容器は、排水流入口及び薬剤溶解液流出口が設けられ、
前記薬剤溶解液流出口は薬剤溶解液を溶出させるための手段が設けられていることを特徴とするヌメリ取り用アダプター、
（２）前記接続部は、下記の（Ｄ）及び（Ｅ）
（Ｄ）接続管
（Ｅ）排水管取り付け部
を有することを特徴とする上記（１）に記載のヌメリ取り用アダプター、
（３）前記アダプター本体及び前記薬剤収納容器に１個以上の空気穴が設けられていることを特徴とする上記（１）に記載のヌメリ取り用アダプター、
（４）前記アダプター本体は、下記（Ｆ）及び（Ｇ）
（Ｆ）蓋部
（Ｇ）薬剤収納容器保持部
を有し、前記蓋部又は前記薬剤収納容器保持部が前記接続部と接続されていることを特徴とする上記（１）に記載のヌメリ取り用アダプター、
（５）前記接続部と前記薬剤収納容器保持部との間及び／又は前記接続部と前記蓋部との間に、下記の（Ｈ）又は（Ｉ）
（Ｈ）小孔を有する隔壁
（Ｉ）フィルター
を有することを特徴とする上記（４）に記載のヌメリ取り用アダプター、及び、
（６）前記薬剤収納容器の薬剤溶解液流出口に設けられた薬剤溶解液を溶出させるための手段が、樹脂製多孔質体を用いることであることを特徴とする上記（１）に記載のヌメリ取り用アダプターに関する。
【発明の効果】
【００１１】
本発明のヌメリ取り用アダプターによれば、排水トラップ内に生じるヌメリの除去、又は予防できるだけでなく、洗濯機の排水のように大量の排水が流れる排水管であっても、薬剤の交換頻度を少なくし、さらに薬剤濃度の高い薬剤溶解液を排水トラップへ拡散させることができる。
【図面の簡単な説明】
【００１２】
【図１】洗濯機の排水管に本発明のヌメリ取り用アダプターが取り付けられたことを示す概念図である。
【図２】図１の部分拡大図である。
【図３】本発明の一態様のヌメリ取り用アダプターの斜視図である。
【図４】本発明の一態様のヌメリ取り用アダプターの上面図である。
【図５】本発明の一態様のヌメリ取り用アダプターの分解図である。
【図６】図４の一点鎖線方向から見た断面図である。
【図７】本発明の一態様の薬剤収納容器の上面図である。
【図８】本発明の一態様の薬剤収納容器の下面図である。
【図９】本発明の別の態様のヌメリ取り用アダプターの斜視図である。
【図１０】本発明の別の態様のヌメリ取り用アダプターの上面図である。
【図１１】本発明の別の態様のヌメリ取り用アダプターの分解図である。
【図１２】図１０の一点鎖線方向から見た断面図である。
【図１３】本発明の別の態様の薬剤収納容器の斜視図である。
【図１４】本発明の別の態様の薬剤収納容器の上面図である。
【図１５】本発明の別の態様の薬剤収納容器の下面図である。
【発明を実施するための形態】
【００１３】
以下の説明において、参考までに図面の符号を付するが、本発明の技術的範囲は図面の形態に限られない。
【００１４】
本発明のヌメリ取り用アダプターは、洗濯機又は洗面台に接続された排水管（１’）に接続して設置され、アダプター本体（５）、該アダプター本体（５）内に着脱自在に設置された薬剤収納容器（８）、及び接続部（５’）を有する。
薬剤収納容器（８）は、流入した排水がすぐに抜けないで容器内に留まれるような機構を有している。そのため、薬剤は容器内に留まっている排水に溶解されて、容器内の溶解した薬剤の濃度は高くなる。そして、薬剤濃度の高い溶解液が徐々に前記薬剤収納容器から流出して、アダプターに設けられた接続部（５’）を通して排水管に流出し、排水管及び排水トラップに付着したヌメリの防除を行う。
【００１５】
（アダプター本体）
本発明のアダプター本体（５）は、接続部（５’）を介して排水管と固定的又は着脱自在に接続し、アダプター本体（５）内には、着脱自在に設置された薬剤収納容器（８）を有する。接続部（５’）は、排水管取り付け部（２）と、それに固定的又は着脱自在に接続した、１箇所以上の接続管（４、４ａ、４ｂ）とを有する。  
接続管が１個の場合（４）は、排水の流入と薬剤溶解液の流出の両方が１個の接続管を通して行われる。接続管が２個以上の場合（４ａと４ｂ）は、排水の流入と薬剤溶解液の流出が、主として別々の接続管（流入用接続管及び排出用接続管）を通して行われる。
アダプターの大きさは、ヌメリ取り剤（９）を収納した薬剤収納容器（８）を収納できる大きさを有している限り特に制限はないが、できうる限りコンパクトなサイズが好ましい。また、アダプターの形状は、ヌメリ取り剤（９）を収納した薬剤収納容器（８）を収納できる形状を有している限り特に制限はないが、例えば、直方体状、円筒状等が挙げられる。
【００１６】
前記接続部（５’）の排水管取り付け部（２）は、接続管を排水管に取り付けることができる構造であれば特に限定されないが、たとえば、数ｃｍ〜数十ｃｍ程度の長さで、排水管と同程度の口径を有する管部材であり、これに接続管（４、４ａ、４ｂ）を固定的あるいは着脱自在に設けたものが挙げられる。この場合、排水管取り付け部（２）には洗濯機又は洗面台に接続された排水管（１’）及び排水ドレイン部と容易にバンド等の固定器具で接続できるように、フック等の固定器具取り付け部（１９）を有していてもよい。前記排水管取り付け部（２）は、洗濯機又は洗面台に接続された排水管（１’）に差し込むか、あるいはねじ込むことができるようにする。
また、前記接続部（５’）の排水管取り付け部（２）は、図面に記載するような構造とは異なる構造でもよいし、洗濯機又は洗面台に接続された排水管（１’）と一体になったものでもよい。さらに、洗濯機又は洗面台に接続された排水管（１’）側に取り付け部が設けられている場合は、そこに前記接続部（５’）を接続すればよい。
前記接続管（４、４ａ、４ｂ）のアダプター本体への設置位置は、排水や薬剤溶解液が流出することができる限り特に制限はないが、流出が円滑になされるために、アダプターの側面下部又は底部に設けることが好ましい。
【００１７】
本発明のアダプター本体（５）には、排水の流入を助けるために、１個以上の空気孔（１２、１３）を有することできる。前記空気孔（１２、１３）の位置や形状は特に制限されないが、それを通して排水が流出しないように設けることが好ましく、単にアダプター本体（５）に孔を設けても良く、また、前記接続管（４、４ｂ）が空気孔としての機能を果たすこともできる。
前記空気孔（１２、１３）を設けない場合の一例としては、前記排水管取り付け部（２）中であり、前記接続管（４、４ａ）の入口の下流側にジャマ板を設置してもよい。これにより、排水の流れを一時的に乱すことができ、排水を接続管（４、４ａ）へと円滑に流入させることができる。前記ジャマ板は排水管取り付け部（２）中の接続管（４、４ａ）の入口が設置された反対側の壁面に位置する方が好ましく、形状は繊維くずや髪の毛等のゴミが引っ掛からなければ特に限定されるものではないが、流線型が好ましい。
また、空気孔（１２、１３）を全く設けない場合の他例としては、接続管を２以上有し、その内の１以上を排水の流入口（４ａ）に、それ以外の接続管は排出用接続管（４ｂ）として薬液が溶解した後の排水の流出口にしても良い。この場合は、排出用接続管（４ｂ）のアダプター本体（５）の接続位置は流入用接続管（４ａ）の接続位置よりも下部にあることが望ましい。好ましくは、排出用接続管（４ｂ）の下部が、流入用接続管（４ａ）の下部よりも下位に位置し、排出用接続管（４ｂ）の上部が、流入用接続管（４ａ）の上部よりも下位に位置するようにする。
【００１８】
本発明のアダプター本体（５）は、蓋部（７）と薬剤収納容器保持部（６）とを有し、接続管（４、４ａ、４ｂ）は、蓋部（７）及び／又は薬剤収納容器保持部（６）に固定的又は着脱自在に設けられている。  
前記蓋部（７）と薬剤収納容器保持部（６）との間、あるいは、それら（６、７）と接続管（４、４ａ、４ｂ）の間の少なくともいずれかは一体となっていてもよいが、両方が着脱自在になっていることが好ましい。これらの箇所が着脱自在であることによって、アダプター本体（５）及び／又はアダプター内に設置された薬剤収納容器（８）の交換をより容易に行うことができるほか、アダプター本体（５）及び接続管（４、４ａ、４ｂ）付近の清掃を容易に行うことができる。
【００１９】
前記蓋部（７）と薬剤収納容器保持部（６）及び／又は  それら（６、７）と接続管（４、４ａ、４ｂ）とを着脱自在に設ける手段としては、ねじ式であっても良いし、互いに挿嵌するものでもよく、ボルト等で固定してもよい。
ねじ式による方法は、前記蓋部（７）及び前記薬剤収納容器保持部（６）の両方にねじ山を有し、容器全体を回して接続する方法と、前記蓋部（７）又は前記薬剤収納容器保持部（６）のどちらかにねじ山を有し、ねじ山を有しない方には回転自由なナット状の部品を有して、ナット状の部品を回転させて接続する方法を示している。さらに前記蓋部（７）と前記薬剤収納容器保持部（６）の間にはパッキンを挟むことができる。このパッキンの材質は特に限定されるものではないが、テフロン（登録商標）、ゴム、プラスチック等の材質を使用することができ、好ましくはプラスチック材質のパッキンを用いる。
挿嵌する方法は、単に前記蓋部（７）と前記薬剤収納容器保持部（６）を接続するものの他、接する部分にパッキンを挟むことができ、また、外れないようにフック等を有しても良い。パッキンの材質は特に限定されるものではないが、テフロン（登録商標）、ゴム、プラスチック等の材質を使用することができ、好ましくはゴム材質のパッキンを用いる。
ボルト等で固定する方法は、接続部分がフランジ構造であればボルトで固定しやすくなる。また着脱を容易にするためにフック等を有していても良い。さらにボルト等で固定せず、紐状のもので縛ることで固定しても良い。合わせ面にパッキンを挟んでもよく、そのパッキンの材質は特に限定されるものではないが、テフロン（登録商標）、ゴム、プラスチック等の材質を使用することができ、好ましくはゴム材質のパッキンを用いる。合わせ面は平らな方が好ましいが、接合位置がずれないようにするために前記蓋部（７）又は前記薬剤収納容器保持部（６）のどちらかに凸状部位を設け、反対側に対応する凹状部位を設けても良い。
【００２０】
本発明のアダプター本体（５）の内面には、排水に含まれる繊維くずや髪の毛などを取り除き、且つ流入する排水の勢いを弱めるため、小孔（１０）を有する隔壁又はフィルター（１１）を設けることができる。
前記隔壁又はフィルター（１１）の設置個所は特に制限されないが、前記蓋部（７）と前記薬剤収納容器保持部（６）及び／又は前記蓋部（７）と前記接続管（４、４ａ、４ｂ）とが着脱自在に設けられている場合、これら着脱部に設置することができる。着脱部に設置されていることにより、前記隔壁又はフィルター（１１）の交換や清掃を容易に行うことができる。
なお、薬剤収納容器保持部（６）のみに前記接続管（４ａ、４ｂ）を有している場合は、前記蓋部（７）には前記接続管はないため、前記蓋部（７）は柔らかな素材を用いた方が蓋部（７）の着脱が容易になるので、前記蓋部（７）の素材は、好ましくは、シリコンゴム等のゴム製の材料である。
また、アダプター本体（５）内には、薬剤収納容器（８）を着脱自在に取り付けるための台、枠、棚などを設けることができる。
【００２１】
アダプター本体（５）の素材としては、例えば、ステンレス（ＳＵＳ）、アルミ等の金属製、ゴム製、プラスチック製等が挙げられ、撥水性がよくヌメリが発生しにくいことから、プラスチック製が好ましい。
【００２２】
（薬剤収納容器）
本発明の薬剤収納容器（８）は、ヌメリ取り剤（９）を収納するための容器であり、前記薬剤収納容器（８）には排水流入口（１５）及び薬剤溶解液流出口（１６）が設けられており、そして、流入した排水がすぐに抜けないで容器内に留まり徐々に流出できる機構を有している。
本発明の薬剤収納容器（８）の大きさは、ヌメリ取り剤（９）を収納でき、かつアダプター内に着脱自在に収納できる大きさであれば特に制限はない。また、前記薬剤収納容器（８）の形状は、前記ヌメリ取り剤（９）を収納でき、かつアダプター内に着脱自在に収納できる形状であれば特に制限はないが、たとえば、上面長方形の薄箱状、円筒状などが挙げられる。
本発明の薬剤収納容器（８）は、ヌメリ取り剤（９）の質量が１０ｇの場合、その容量は好ましくは１０ｍｌ〜５０ｍｌであり、この量であればヌメリ取り剤（９）が溶解して十分な薬液濃度になる。
前記排水流入口（１５）の位置は、排水を流入させることができる位置である限り特に制限されないが、前記薬剤収納容器（８）の上面部、側面上部に設けることができる。また、前記排水流入口（１５）は前記薬剤収納容器（８）の下部又は底面にあってもよく、その場合は流入した排水が前記薬剤溶解液流出口（１６）からすぐに抜けないで容器内に留まり徐々に流出できる構造を容器内に有していればよい。たとえば、前記薬剤収納容器（８）内に、前記排水流入口（１５）と前記薬剤溶解液流出口（１６）の位置の間に上面に隙間のある隔壁（１１）を設けることにより可能である。
前記排水流入口（１５）の大きさは特に制限されないが、排水に含まれる繊維くず等の前記薬剤収納容器（８）への流入を防ぐために、直径２ｍｍ〜４５ｍｍ程度が好ましく、直径５ｍｍ〜２５ｍｍ程度がより好ましい。
【００２３】
前記薬剤溶解液流出口（１６）は排水を流出させることができる位置である限り特に制限されないが、前記薬剤収納容器（８）の底面、側面下部等に設けることができる。
前記薬剤溶解液流出口（１６）には、薬剤溶解液を徐々に流出させるための手段が設けられている。前記手段としては、例えば、前記薬剤溶解液流出口（１６）の大きさを制御することや、前記薬剤溶解液流出口（１６）の前に各種スポンジ等の多孔質体やフィルター等を設置することが挙げられる。
【００２４】
前記薬剤溶解液流出口（１６）の大きさとしては、薬剤溶解液の流出を効果的に制御するため、直径２ｍｍ〜４５ｍｍ程度が好ましく、直径５ｍｍ〜２５ｍｍ程度がより好ましい。
薬剤溶解液の流量を制御するために前記薬剤収納容器（８）内の薬剤溶解液流出口（１６）を塞ぐような位置に多孔質体（１４）を有する。前記多孔質体（１４）は、細孔が多数有する物質であれば特に素材を限定する必要はないが、ポリエチレン、ポリプロピレン、ポリスチレン、ポリメタクリル酸メチル等の樹脂製多孔質体、ウレタンスポンジ、天然スポンジ、ゴムスポンジ等の樹脂製スポンジ、活性炭、ゼオライト、セラミックス等を例示することができ、薬剤溶解液の流量を制御するためのフィルターとしては、濾布、濾紙等を例示することができる。好ましくは、樹脂製多孔質体、ウレタンスポンジである。
前記多孔質体（１４）としては、特に限定されるものではないが、好ましくは、密度が５〜２００ｋｇ／ｍ３であり、さらに好ましくは１０〜１５０ｋｇ／ｍ３である。同じ材質であれば、密度が高い方が流出速度を遅くすることができる。または硬さは特に限定されるものではなく、様々な測定方法が存在し、デュロメーター硬さ、国際ゴム硬さ（ＩＲＨＤ）、ＡＳＫＥＲ−Ｃ等の測定方法が知られている。硬さは１０〜２００Ｎであり、さらに好ましくは９０〜１８０Ｎであり、ＡＳＫＥＲ−Ｃの測定方法では硬度（ＡＳＫＥＲ−Ｃ）は１〜１００であり、好ましくは３〜３０である。同じ材質であれば、硬さが硬い方が流出速度を遅くすることができる。
さらに前記多孔質体（１４）は、耐光性、伸縮性、高反発性、高弾性、静電防止、高強度、抗菌性、耐溶剤性等の機能を有していた方がよく、好ましくは洗剤等の影響により硬化しない耐溶剤性を有しているものである。
薬剤収納容器（８）からの薬剤溶解液の流出速度としては、０．１〜１０ｍｌ／分が好ましく、０．５〜２．０ｍｌ／分がより好ましい。
【００２５】
また、前記排水流入口（１５）と前記薬剤溶解液流出口（１６）は、同じであってもよい。その場合、排水流入口兼薬剤溶解液流出口には、薬剤溶解液を徐々に流出させるための手段が設けられている。具体的には、１〜５００分間で薬剤溶解液を流出させ、さらに好ましくは、５〜１００分間で流出させる。
【００２６】
本発明の薬剤収納容器（８）には、排水の流入、及び薬剤溶解液の流出のために、１個以上の空気穴を設けることができるが、流入口及び／又は流出口が空気穴としての機能を果たすこともできる。
【００２７】
本発明の薬剤収納容器（８）には、固形又は粉体の薬剤が収納されている。
また、前記薬剤が排水等に溶解した液を「薬剤溶解液」と呼ぶ。
用いられる薬剤としては、ヌメリを防除できる薬剤であれば特に制限されない。公知のヌメリ取り剤（９）としては、塩素系酸化剤のさらし粉や、非塩素系酸化剤の過炭酸ナトリウム等が挙げられるが、安全性や取扱い性、適度な溶解性を有する固形薬剤が好ましい。
【００２８】
前記固形薬剤として、例えば、特開２０００−３２７５０９号公報に記載の固形薬剤を挙げることができる。具体的には、５−クロロ−２−メチル−４−イソチアゾリン−３−オン等の抗菌剤とテトラキスフェノ−ル類等の多分子系ホスト化合物とからなる包接化合物等の非さらし粉系抗菌剤と、乳糖、造粒した乳糖（例えば、乳糖グラニュー、フロイント産業株式会社製）、硫酸カルシウム２水和物、硫酸カルシウム０．５水和物、アセト酢酸アニリド、アセト酢酸−ｏ−トルイダイド、アセト酢酸−ｐ−トルイダイド、アセト酢酸−ｏ−アニシダイド等から選ばれた１種又は２種以上の基材とを加圧成形してなることを特徴とするヌメリ防除剤である。
【００２９】
前記非さらし粉系抗菌剤としては、その使用時に酸性物質等と反応して塩素ガスを発生しないものであればどのようなものでも使用することができ、例えば、一般的な防黴剤又は抗細菌剤として知られている化合物及び抗菌作用を有するとして知られている天然精油類等を例示することができる。防黴剤又は抗細菌剤としては、例えば、５−クロロ−２−メチル−４−イソチアゾリン−３−オン、２−メチル−４−イソチアゾリン−３−オン、４，５−ジクロロ−３−ｎ−オクチル−イソチアゾリン−３−オン、１，２−ベンズイソチアゾリン−３−オン、２−メトキシカルボニルベンズイミダゾール、２，３，５，６−テトラクロロ−４−メタンスルホニルピリジン、２−チオシアノメチルチオベンゾチアゾール、２，２−ジチオ−ビス−（ピリジン−１−オキサイド）、３，３，４，４−テトラハイドロチオフェン−１，１−ジオキサイド、４，５−ジクロロ−１，２−ジチオラン−３−オン、５−クロロ−４−フェニル−１，２−ジチオラン−３−オン、Ｎ−メチルピロリドン、フェニル−（２−シアノ−２−クロロビニル）スルホン、メチレンビスチオシアネート、２−ブロモ−２−ニトロプロパン−１，３−ジオール、２，２−ジブロモ−２−エタノール、２−ブロモ−４′−ヒドロキシアセトフェノン、ジブロモニトリルプロピオンアミド、２−ブロモ−２−ブロモメチルグルタルニトリル、過炭酸ナトリウム、過硫酸カリウム、過ほう酸ナトリウム、オルトフェニルフェノール、ジフェニル、２−イソプロピル−５−メチルフェノール、パラクロロメタキシレノール、パラヒドロキシ安息香酸ｎ−ブチル、パラヒドロキシ安息香酸エチル、パラヒドロキシ安息香酸メチル、塩化ベンザルコニウム、塩化ベンゼトニウム、塩酸クロロへキシジン、グルコン酸クロロヘキシジン、２−ピリジンチオール−１−オキサイド、２−ピリジンチオール−１−オキシド亜鉛塩、２−ピリジンチオール−１−オキシドナトリウム、Ｎ，Ｎ′−ヘキサメチレンビス（４−カルバモイル−１−デシルピリジニウムブロマイド）、４，４′−（テトラメチレンジアミノ）ビス（１−デシルピリジニウムブロマイド）等を具体的に挙げることができる。
【００３０】
また、天然精油類としては、例えば、シネオール、ヒノキチオール、メントール、テルピネオール、ボルネオール、ノポール、シトラール、シトロネラール、シトロネロール、ゲラニオール、リナロール、ジメチルオクタノール、チモール等を例示することができる。
【００３１】
さらに、非さらし粉系抗菌剤として、ヨード系抗菌剤も例示することができ、その中でも特に固体のものが望ましい。ヨード系抗菌剤としては、例えば、２，３，３−トリヨードアリルアルコール類、２，３，３−トリヨードアリルエーテル類、２，３，３−トリヨードアリルアゾール類、３−ヨード−２−プロパルギルブチルカルバミン酸、４−クロロフェニル（３−ヨードプロパルギル）ホルマール、ヨードプロパルギルアゾール類、ジヨードメチルパラトリルスルホン、ポビドンヨード、ベンジルヨード酢酸エステル及びパラニトロベンジルヨード酢酸エステルを挙げることができる。
【００３２】
これら非さらし粉系抗菌剤は、単独又は２種以上混合して使用することができる。また、これら非さらし粉系抗菌剤は、多分子系ホスト化合物のゲスト化合物とすることができ、例えば、２−ブロモ−２−ニトロプロパン−１，３−ジオール、５−クロロ−２−メチル−４−イソチアゾリン−３−オン等をゲスト化合物として包接化合物を形成させ、これらを非さらし粉系抗菌剤として使用することができる。
【００３３】
非さらし粉系抗菌剤とともに使用される基材は、燐酸水素カルシウム２水和物、燐酸３カルシウム無水物、燐酸水素マグネシウム３水和物、燐酸水素マグネシウム８水和物、乳糖、バニリン、クエン酸カルシウム４水和物、硫酸カルシウム２水和物、硫酸カルシウム０．５水和物、アセト酢酸アニリド、アセト酢酸−ｏ−トルイダイド、アセト酢酸−ｐ−トルイダイド、アセト酢酸−ｏ−アニシダイド、ソルビトール、アルキルソルビタンエステル（ＨＬＢ１４以下）、グリセリンモノ脂肪酸エステル等の非イオン界面活性剤、蔗糖脂肪酸エステル（ＨＬＢ１４以下）から選ばれ、これらは、単独で使用することも、あるいは２種以上混合して使用することもできるが、加圧形成した時の打錠性、水に対する溶解性、崩壊性、抗菌剤の安定性への影響を考慮して決定することが望ましい。
【００３４】
また、基材としては、中性の物質であり、次亜塩素酸を含む市販の洗浄剤との混合により塩素ガスの発生を増加させることがないものが好ましい。そしてまた、特に非さらし粉系抗菌剤として、包接化合物を用いる場合は、ソルビトール、乳糖、アセト酢酸−ｏ−トルイダイド、硫酸カルシウム水和物が好ましい。さらに、基材として硫酸カルシウムを用いる場合、成形性や溶解性を容易にコントロールすることができる点からして硫酸カルシウム０．５水和物が好ましく、硫酸カルシウム０．５水和物の中でも、常圧焼成により製造されるβ型のものが、加圧焼成することにより製造されるα型のものよりも、吸水による成形体の型崩れを起こしにくい点で好ましく、このβ型の硫酸カルシウム０．５水和物を用いる場合は、乳糖と併用することが前記成形性や溶解性のコントロールの点でより好ましい。
【００３５】
多分子系ホスト化合物とは、ゲストとなる抗菌剤と水素結合等の分子間力により相互作用を持ち、規則的配列を有する、結晶性錯体（包接化合物）を形成する化合物をいい、前記の性質を有する化合物であれば特に制限されないが、例えば以下の化合物を例示することができる。
（１）テトラキスフェノ−ル類
（２）１，１，６，６−テトラフェニル−２，４−ヘキサジイン−１，６−ジオール
（３）１，６−ビス（２−クロロフェニル）−１，６−ジフェニルヘキサン−２，４−ジイン−１，６−ジオール
（４）１，１，４，４−テトラフェニル−２−ブチン−１，４−ジオール
（５）２，５−ビス（２，４−ジメチルフェニル）ハイドロキノン
（６）１，１−ビス（２，４−ジメチルフェニル）−２−プロピン−１−オール
（７）１，１，２，２−テトラフェニルエタン−１，２−ジオール
（８）１，１′−ビ−２−ナフトール
（９）９，１０−ジフェニル−９，１０−ジヒドロキシアントラセン
（１０）１，１，６，６−テトラ（２，４−ジメチルフェニル）−２，４−ヘキサジイン−１，６−ジオール
（１１）９，１０−ビス（４−メチルフェニル）−９，１０−ジヒドロキシアントラセン
（１２）１，１−ビス（４−ヒドロキシフェニル）シクロヘキサン
（１３）Ｎ，Ｎ，Ｎ′，Ｎ′−テトラキス（シクロヘキシル）−（１，１′−ビフェニル）−２，２′−ジカルボキシアミド
（１４）４，４′−スルホニルビスフェノール
（１５）４，４′−ブチリデンビス（３−メチル−６−ｔｅｒｔ−ブチルフェノール）
（１６）２，２′−メチレンビス（４−メチル−６−ｔｅｒｔ−ブチルフェノール）
（１７）４，４′−チオビス（４−クロロフェノール）
（１８）２，２′−メチレンビス（４−クロロフェノール）
（１９）デオキシコール酸
（２０）コール酸
（２１）α，α，α′，α′−テトラフェニル−１，１′−ビフェニル−２，２′−ジメタノール
（２２）ｔ−ブチルヒドロキノン
（２３）２，５−ジ−ｔｅｒｔ−ブチルヒドロキノン
（２４）顆粒状コーンスターチ
（２５）１，４−ジアザビシクロ−（２，２，２）−オクタン
【００３６】
前記多分子系ホスト化合物におけるテトラキスフェノ−ル類としては、例えば、１，１，２，２−テトラキス（４−ヒドロキシフェニル）エタン、１，１，２，２−テトラキス（３−フルオロ−４−ヒドロキシフェニル）エタン、１，１，２，２−テトラキス（３−クロロ−４−ヒドロキシフェニル）エタン、１，１，２，２−テトラキス（３−メチル−４−ヒドロキシフェニル）エタン、１，１，２，２−テトラキス（３−メトキシ−４−ヒドロキシフェニル）エタン、１，１，２，２−テトラキス（３，５−ジメチル−４−ヒドロキシフェニル）エタン、１，１，３，３−テトラキス（４−ヒドロキシフェニル）プロパン、１，１，３，３−テトラキス（３−フルオロ−４−ヒドロキシフェニル）プロパン、１，１，３，３−テトラキス（３−クロロ−４−ヒドロキシフェニル）プロパン、１，１，３，３−テトラキス（３−メチル−４−ヒドロキシフェニル）プロパン、１，１，３，３−テトラキス（３−メトキシ−４−ヒドロキシフェニル）プロパン、１，１，３，３−テトラキス（３，５−ジメチル−４−ヒドロキシフェニル）プロパン、１，１，４，４−テトラキス（４−ヒドロキシフェニル）ブタン、１，１，４，４−テトラキス（３−フルオロ−４−ヒドロキシフェニル）ブタン、１，１，４，４−テトラキス（３−クロロ−４−ヒドロキシフェニル）ブタン、１，１，４，４−テトラキス（３−メチル−４−ヒドロキシフェニル）ブタン、１，１，４，４−テトラキス（３−メトキシ−４−ヒドロキシフェニル）ブタン、１，１，４，４−テトラキス（３，５−ジメチル−４−ヒドロキシフェニル）ブタン、１，１，５，５−テトラキス（４−ヒドロキシフェニル）ペンタン、１，１，５，５−テトラキス（３−フルオロ−４−ヒドロキシフェニル）ペンタン、１，１，５，５−テトラキス（３−クロロ−４−ヒドロキシフェニル）ペンタン、１，１，５，５−テトラキス（３−メチル−４−ヒドロキシフェニル）ペンタン、１，１，５，５−テトラキス（３−メトキシ−４−ヒドロキシフェニル）ペンタン、１，１，５，５−テトラキス（３，５−ジメチル−４−ヒドロキシフェニル）ペンタン等テトラキス（ヒドロキシフェニル）アルカン類を具体的に例示することができる。
【００３７】
本発明に使用される包接化合物は、通常、ゲストとなる非さらし粉系抗菌剤とホスト化合物とを、場合によっては水あるいは有機溶媒存在下に、常温〜１００℃で数分間〜数時間攪拌して反応させることにより容易に得られる。
【００３８】
本発明の錠剤は、ヌメリ取りに用いられる薬剤で製剤化できる場合は薬剤単独で用いられるが、基材を用いて製剤化した方が好ましい。基材を使用した場合、非さらし粉系抗菌剤と基材との混合割合は、非さらし粉系抗菌剤１〜９９重量部、基材９９〜１重量部の間で任意に混合比率を変化させることができるが、好ましくは非さらし粉系抗菌剤５〜５０重量部、基材９５〜５０重量部である。また、非さらし粉系抗菌剤として包接化合物を用いる場合、該包接化合物２〜２０重量部、基材９８〜８０重量部の混合割合が好ましい。
【００３９】
基材としては、賦形剤、結合剤、溶解調整剤、滑沢剤、界面活性剤、腐食防止剤、ゲル化物、帯電防止剤、その他の機能成分等であり、公知の物を使用することができる。
【００４０】
前記薬剤収納容器（８）の素材としては、例えば、ゴム製、プラスチック製等が挙げられ、撥水性がよくヌメリが発生しにくいことから、プラスチック製が好ましい。また、内部に収容された薬剤の消費量を確認できるように、全部又は一部が透明又は半透明であることが好ましい。
【００４１】
本発明のヌメリ取り用アダプターは、前記薬剤収納容器（８）からの薬剤溶解液の流出が制御されるため、例えば洗濯機の排水のように、大量の排水が間欠的に流れるような排水管（１’）及び排水トラップ（１８）のヌメリ防除に効果的である。
【００４２】
洗濯機では一般に、数十リットルの排水が一度に流れた後、流れが徐々に弱くなり、２〜５分程度で排水が終了する。本発明のヌメリ取り用アダプターは、薬剤溶解液の流出が５分〜１８０分、好ましくは１０分〜６０分にわたって行われるため、薬剤溶解液が大量の排水によって洗い流されることなく、効果的に排水管（１’）及び排水トラップ（１８）に拡散する。
【００４３】
以下、図面を参照しつつ、本発明のヌメリ取り用アダプターの実施形態について具体的に説明する。
図１は、洗濯機（１）の排水管（１’）に本発明のヌメリ取り用アダプター（３）が取り付けられた概念図である。図２はその取り付け部を拡大した図面である。ヌメリ取り用アダプター（３）は、排水管取り付け部（２）と接続管（４）とを有する接続部（５’）を介して排水トラップ（１８）前の排水管（１’）に取り付けられている。接続部（５’）の接続管（４）は蓋部（７）に接続している(図３及び４)。
ヌメリ取り用アダプター（３）は、アダプター本体（５）とその内部に設置された薬剤収納容器（８）を有している(図６)。図５は、蓋部（７）と薬剤収納容器保持部（６）、及び、接続部（５’）と蓋部（７）が着脱自在になっていて、分解した場合を示す。
蓋部（７）と薬剤収納容器保持部（６）との間には、小孔（１０）を有する隔壁（１１）が設けられており、薬剤収納容器保持部（６）への繊維くず等の流入を防ぐことができる（図５）。
図３に示される様に、アダプター本体（５）には、排水を流出入しやすくするため空気孔(１２、１３)が設けられている。空気孔（１３）は排水管に繋がり、空気は排水管の中に抜けるようになっている。
図６に示される様に、薬剤収納容器保持部（６）には、薬剤収納容器保持枠（図示されていない）が設けられ、ここに薬剤収納容器（８）を嵌め込んで固定する。
また、薬剤収納容器（８）には、排水流入口（１５）と薬剤溶解液流出口（１６）が設けられ、薬剤溶解液流出口（１６）の上には薬剤溶解液流出口を塞ぐように直方体形状のスポンジ（１４）が設けられている（図７及び８）。
また、薬剤収納容器（８）には空気孔（１７）も設けられている。内部には、固形のヌメリ取り剤（９）が収納されている。
【００４４】
また本発明の他の実施態様について説明する（図９〜１５）。
ヌメリ取り用アダプター（３）は、排水管取り付け部（２）と接続管（４）とを有する接続部（５’）を介して排水トラップ（１８）前の排水管（１’）に取り付けられている点は、図３及び４の場合と同じであるが、接続部（５’）の接続管は流入用接続管（４ａ）と排出用接続管（４ｂ）を有して、これらの接続管は薬剤収納容器保持部（６）に接続している(図９及び１０)。
ヌメリ取り用アダプター（３）は、アダプター本体（５）とその内部に設置された薬剤収納容器（８）を有している(図１２)。図１１は、蓋部（７）と薬剤収納容器保持部（６）、及び、接続部（５’）と薬剤収納容器保持部（６）が着脱自在になっていて、分解した場合を示す。
図１２に示される様に、薬剤収納容器保持部（６）には、薬剤収納容器保持枠が設けられ、ここに薬剤収納容器（８）を嵌め込んで固定する。
また、薬剤収納容器（８）には、排水流入口（１５）と薬剤溶解液流出口（１６）が設けられ、薬剤溶解液流出口（１６）の上には薬剤溶解液流出口を塞ぐように直方体形状の多孔質体（１４）が設けられている（図１３〜１５）。
流入用接続管（４ａ）は、薬剤収納容器（８）の側面部に設けられた排水流入口（１５）とほぼ対応する位置に設けられ、排出用接続管（４ｂ）は、薬剤収納容器（８）に設けられた排水流入口（１５）とほぼ対応する位置に設けられている。
また、薬剤収納容器（８）には空気孔（１７）も設けられている。内部には、固形のヌメリ取り剤（９）が収納されている。
【００４５】
（使用方法）
本発明のヌメリ取り用アダプターの使用方法について以下に説明する。
以下に本発明のアダプター本体を洗濯機の排水ホースと排水トラップのホースジョイント間に介在させるものとして説明するが、本発明のヌメリ取り用アダプターは、例えば家庭用の洗面台や、皿洗い機、シンクの排水ホースと排水トラップの間に介在して利用することができる。
【００４６】
洗濯機から流れ出た排水は、排水管を通って排出される。排水の一部は、排水トラップ前の排水管の途中に取り付けられたヌメリ取り用アダプターにつながる接続部を通ってヌメリ取り用アダプター内に流入する。流入した排水は、アダプター内を満たし、やがて、内部に設置された薬剤収納容器内の排水流入口から流れ込み、容器内を満たす。
排水が終わった後、アダプター内の排水はアダプターから接続管を通って排水管に流出するが、薬剤収納容器内の排水は、薬剤溶解液流出口の上に設けられた直方体形状のスポンジなどにより流出が抑制されているため、すぐには流出されない。薬剤収納容器内に排水が留まっている間に、固形又は粉状のヌメリ取り剤は溶解する。ヌメリ取り剤は一度にすべての薬剤が溶けないように成型されているか、溶解度が調整されているため、繰り返し使用することができる。
ヌメリ取り剤の溶けた薬剤溶解液は、時間の経過と共に、スポンジ等を通って徐々に流出し、接続管を通して排水管に流出する。流出した薬剤溶解液は徐々に排水管の壁面を流れ落ちて、排水管、ホースジョイント、排水トラップなどの壁面等を濡らすため、壁面などにおけるヌメリの発生を防止することができ、又、既に発生したヌメリを取ることができる。
【００４７】
［試験］
以下に本発明のヌメリ取り用アダプターを洗濯機の排水管に取り付けて使用した試験例を記載する。
【００４８】
（薬剤の調製）
第１表に示される配合割合の各混合物から加圧成形により、直径３０ｍｍの円柱状の成形物からなる各試料を調製した。第１表中、「トップビット」はゲスト化合物となる抗菌剤として、２モルの５−クロロ−２−メチル−４−イソチアゾリン−３−オン（ＣＭＩ）と、多分子系ホスト化合物として、１モルの１，１，２，２−テトラキス（４−ヒドロキシフェニル）エタンとの反応により得られた包接化合物を表す。
【００４９】
【表１】
0005646753.tif 000002
【００５０】
（実施例１〜３）
洗濯機と排水トラップ間に模擬洗濯機排水管を接続したものを用意した。前記薬剤調製例１の薬剤を３種のウレタンスポンジ（有限会社豊橋ウレタン社製）を薬剤溶解液流出口に設けた図７に示す薬剤収納容器に収納し、図３に示すアダプター本体に収納した後、該アダプター本体を該模擬洗濯機排水管に接続した。その後、洗濯機に布シーツ８ｋｇを入れ、洗剤を使用せず、水７２Ｌを使用するようにセットし洗濯を行なった。この試験を１日１８回、１０日間（計１８０回）続け、１８０回目の洗濯終了１時間後の排水トラップに溜まった水中のＣＭＩ濃度とヌメリの状況を第２表にまとめた。
【００５１】
（実施例４）
実施例１の３種のウレタンスポンジをＭＡＰＳ  ＳＴ−１５−２００ＡＱＬ（株式会社イノアックコーポレーション社製）に代え、図３に示すアダプター本体を図９に示すアダプター本体に代え、図７に示す薬剤収納容器を図１３に示す薬剤収納容器に代えた以外は、実施例１と同様の操作を行なった。
【００５２】
（比較例）
実施例１の薬剤収納容器に設置されたウレタンスポンジを外した容器を用いた以外は、実施例１と同様の操作を行った。
（薬液溶出時間）
薬剤収納容器において２６ｍｌの水を排出するのに要する時間を測定した。なお、２６ｍｌとは前記実施例および比較例において使用された薬剤収納容器の容量から、錠剤およびウレタンスポンジ分の容量を除した容量である。
（ＣＭＩ濃度）
模擬水を流した後、１時間後の排水トラップに溜まった水を０．４５μｍのフィルターで濾過し、ＣＭＩ濃度を高速液体クロマトグラフィーにて定量分析を行った。
（ヌメリ状況）
排水トラップを指で触ったときのヌメリの状況を確認した。◎：全くヌメリはなかった。○：ほとんどヌメリは確認できなかった。△：特に気にするほどのヌメリは確認できなかった。×：ヌメリが確認できた。
【００５３】
【表２】
0005646753.tif 000003
【００５４】
（まとめ）
実施例１〜４と比較例を比較すると、実施例は薬液の溶出時間が十分に長いため、排水トラップ中のヌメリを除去する薬剤濃度が十分に高かった。そのため、ヌメリは確認できなかった。
【産業上の利用可能性】
【００５５】
従来の洗濯機用ヌメリ取り容器では排水管の中に薬剤収納容器を有していたため、薬剤の交換を行いにくかったが、本発明は排水管と平行に接続したアダプター本体に薬剤収納容器が収納されているため、交換しやすい。また、薬剤収納容器ごと交換できるので直接薬剤に触る必要がないため、安全である。
従来の台所用ヌメリ取り容器では、薬液の遅溶出性がないため、洗濯機のような大量の水が流れる場合にはすぐに薬剤が溶解し不経済である。そのため、台所用ヌメリ取り容器を洗濯機の排水管に設置できたとしても本発明と同じ効果が得られない。
また、単に大量の水の一部をアダプター本体に取り入れることで、薬剤の消費を必要最小限にできたとしても、排水トラップにおいて大量の水によって希釈され、ヌメリ取り効果が十分に発揮することができない。
さらに電子式または機械的に薬液の遅溶出性を行うことができたとしても、洗濯機の排水のように繊維くずや髪の毛のようなゴミがある場合は、その動作がゴミによって不安定になる可能性が高く、長期にわたって信頼性が得られない。
以上のことにより、本発明が特に優れているのは、薬液の遅溶出性を非常に簡単な構造で成しえたことである。そのため、薬剤の種類、組成、形状は特に限定する必要がなく、また、薬剤の大きさ等を調整することで自由に交換時期を調整することができる。さらに排水トラップのヌメリを除去することでマンション等の集合住宅で行っている排水管の定期的な清掃の負担を軽減することができる。
【符号の説明】
【００５６】
１          洗濯機
１’        排水管
２          排水管取り付け部
３          本発明のヌメリ取り用アダプター
４          接続管
４ａ        流入用接続管
４ｂ        排出用接続管
５          アダプター本体
５’        接続部
６          薬剤収納容器保持部
７          蓋部
８          薬剤収納容器
９          ヌメリ取り剤
１０        小孔
１１        隔壁
１２、１３  空気孔
１４        多孔質体
１５        排水流入口
１６        薬剤溶解液流出口
１７        空気孔
１８        排水トラップ
１９        固定具取り付け部
【図１】
0005646753.tif 000004
【図２】
0005646753.tif 000005
【図３】
0005646753.tif 000006
【図４】
0005646753.tif 000007
【図５】
0005646753.tif 000008
【図６】
0005646753.tif 000009
【図７】
0005646753.tif 000010
【図８】
0005646753.tif 000011
【図９】
0005646753.tif 000012
【図１０】
0005646753.tif 000013
【図１１】
0005646753.tif 000014
【図１２】
0005646753.tif 000015
【図１３】
0005646753.tif 000016
【図１４】
0005646753.tif 000017
【図１５】
0005646753.tif 000018